(57)【要約】【課題】どのような帽子やバンダナ等にも着脱が可能で、遮光シートが首や顔に触れたり汗で貼り付いたりしないように、遮光シートを首や顔から離す機能を有する風通しの良い日除けを提供する。【解決手段】直射日光を遮蔽する遮光シートと、該遮光シートを帽子やバンダナ等に取り付けるための取付機構と、遮光シートを持ち上げて首や顔から離して垂らすために、小さな力で自在に変形が出来持ち上げられた遮光シートの重さにも耐えてその状態を維持できる可撓性のシート保持機構とよりなり、どんな帽子やバンダナ等にも着脱可能なことを特徴とする日除け。【選択図】図１
2008179927.tif 000002
【特許請求の範囲】
【請求項１】
直射日光を遮蔽する遮光シートと、該遮光シートを帽子やバンダナ等に取り付けるための取付機構と、遮光シートを持ち上げて首や顔から離して垂らすために、小さな力で自在に変形が出来持ち上げられた遮光シートの重さにも耐えてその状態を維持できる可撓性のシート保持機構とよりなり、どんな帽子やバンダナ等にも着脱可能なことを特徴とする日除け。
【発明の詳細な説明】
【技術分野】
【０００１】  本発明は帽子やバンダナ等に取り付ける日除けに関するものである。
【背景技術】
【０００２】  従来、帽子に取り付けられている日除けはその帽子に固定されているものが大半であるが、中には着脱可能な日除けで、帽子に取り付けた場合遮光シートが帽子の縁や庇からすぐに垂れ下がるタイプのものがあった。
【特許文献】特許公開２００５−１２０４９６
【発明の開示】
【発明が解決しようとする課題】
【０００３】  しかし、次のような問題があった。
（イ）帽子に固定された日除けは炎天下などで使用するときは目的を達するが、その帽子を被ったまま乗り物などに乗り難く、好みの帽子を別に持ち歩かねばならない難点があった。
（ロ）着脱可能な日除けであっても、帽子の後部に庇がない場合は遮光シートが直接首の後ろや顔に触れるように垂れ下がるため、暑苦しく、汗をかいた場合遮光シートが首や顔に貼り付くことがあり、風通しが悪く不快感を生じる難点があった。
（ハ）帽子の後部に庇がある場合でも、庇が硬くないときは遮光シートの重さで押し下げられて（ロ）に近い問題が発生した。
（ニ）遮光シートが首、背中、衣服の襟等に大きい面積で触れていると、お互いの摩擦力が大きくなるために下を向いたとき、遮光シートが帽子の縁から外れてしまう難点があり、外れ防止の対策が必要であった。
本発明はこれらの問題を解決するためになされたものである。
【課題を解決するための手段】
【０００４】  直射日光を遮蔽する遮光シートと、該遮光シートを帽子やバンダナ等に取り付けるための取付機構と、遮光シートを持ち上げて首や顔から離して垂らすために、小さな力で自在に変形が出来持ち上げられた遮光シートの重さにも耐えてその状態を維持できる可撓性のシート保持機構とよりなり、どんな帽子やバンダナ等にも着脱可能なことを特徴とする日除けである。
【発明の効果】
【０００５】  帽子等に取付けた後、遮光シートを持ち上げて首や顔から離し空間を保持するため汗で遮光シートが首や顔に貼り付くことも無く、肩や背中に遮光シートが触れるのが僅かなので頭を動かしても摩擦が少なく帽子から外れることもない日除けが出来る。
また、どんな帽子やバンダナ等にも取付可能であり、軽量で折りたたみが可能なため、何時でも携帯し、炎天下など必要に応じて例え帽子が無くても使用が可能である。
【発明を実施するための最良の形態】
【０００６】  以下、本発明の実施の形態を説明する。
本発明は図１に示すように遮光シート（１）と、該遮光シートを帽子やバンダナ等に取り付けるための取付機構（２）と、遮光シートを首や顔から離して垂らすためのシート保持機構（３）で構成されている。
遮光シート（１）は図２に示すように、下辺が広がり易いように上辺部にひだ（４）を備え、上辺（５），下辺（６）の長さは帽子に取付けたときに左右の辺（７）、（８）が顔の前に来る長さを持ち、図３に示すように縦の長さはシート保持機構（３）により遮光シート（１）を持ち上げた状態でも、後ろや横からの直射日光を遮ることの出来る長さを有する。尚、下辺を広げる方法はひだ（４）意外の一般に用いられるどんな方法でも良い。
遮光シートを帽子やバンダナ等に取り付けるための取付機構（２）は図４に示すように遮光シート（１）の上辺部のひだ（４）の位置に上辺（５）に沿って布や皮等の板状のバンド（１０）を縫い付け、その上から縫い目や遮光シートの端末を隠すためのカバー（１１）が設けられている。そのバンド（１０）の両端付近には、帽子等に取付けるためにバンドをループ状にし、帽子等の大きさに合わせて調整しながら固定するための面ファスナーが設けられていて、面ファスナーオス（１２ａ）はバンド（１０）の一方の端に、面ファスナーメス（１２ｂ）は他方のバンド（１０）の末端付近にカバーの上から取り付けられている。
シート保持機構（３）は図５および一部分を拡大した図６に示すようにバンド（１０）と直角方向、すなわち遮光シートが垂れ下がる方向に、遮光シートの上部を持ち上げ保持するために、軽量で細い金属またはプラスチックスで出来た５本の保持体（１３ａ）、（１３ｂ）、（１３ｃ）、（１３ｄ）、（１３ｅ）を、バンド（１０）の上から遮光シート（１）に縫い付けるか、接着によって設けた保持体カバー（１４ａ）、（１４ｂ）、（１４ｃ）、（１４ｄ）、（１４ｅ）の中にそれぞれ挿入し固定されている。この保持体（１３）は小さな力で自在に変形できる可撓性があり、持ち上げられた遮光シートの重さにも耐えその状態を維持できる強さを持っている。
本発明は以上のような構成であり、使用する時は一例を図７に示すように、被った帽子（１５）の頭部に接する最後部（１６）の位置より、遮光シート横寸法の中央部のバンド（１０）の下部位置（１７）が若干上になるようにバンド（１０）を帽子に巻きつけてループ状にし、バンド（１０）を面ファスナー（１２ａ）、（１２ｂ）で固定する。次に図８に示すように、それぞれの保持体（１３）を水平に起こすように曲げることにより遮光シート（１）の上部を持ち上げ、遮光シートを首や顔から離すようにして使用する。使用後は保持体（１３）を真っ直ぐに戻し、図９（ａ）に示すように横幅を折りたたみ、更に図９（ｂ）のように縦方向にも折たたみ小さくして携帯する。
尚、保持体（１３）は５本より少なくても良く、丸状でも板状でも良い。またバンド（１０）をループ状にして固定する方法はボタンや調節が出来るクリップなどでも良い。
【図面の簡単な説明】
【０００７】
【図１】本発明の斜視図
【図２】本発明の部品の取付け説明図１
【図３】本発明の部品の使用状態図１
【図４】本発明の部品取付け状態切欠け拡大説明図１
【図５】本発明の部品の取付け状態図２
【図６】本発明の部品取付け状態切欠け拡大説明図２
【図７】本発明の使用状態図１
【図８】本発明の使用状態図２
【図９】本発明の使用状態図３
【符号の説明】
【０００８】１  遮光シート        １０  バンド
２  取付機構          １１  カバー
３  保持機構          １２；１２ａ、１２ｂ  面ファスナー
４  ひだ              １３；１３ａ，１３ｂ，１３ｃ，１３ｄ，１３ｅ  保持体
５  上辺              １４；１４ａ，１４ｂ，１４ｃ，１４ｄ，１４ｅ  保持体カバー
６  下辺              １５  帽子
７  横の長さ          １６  頭部に接する最後部
８；８ａ、８ｂ  側辺  １７  バンドの下部位置
９  縦の長さ
【図１】
2008179927.tif 000003
【図２】
2008179927.tif 000004
【図３】
2008179927.tif 000005
【図４】
2008179927.tif 000006
【図５】
2008179927.tif 000007
【図６】
2008179927.tif 000008
【図７】
2008179927.tif 000009
【図８】
2008179927.tif 000010
【図９】
2008179927.tif 000011